(57)【要約】      （修正有）【課題】複数の独立した表示装置を有する機器において、連続する論理的な表示領域を共有する。【解決手段】機器１１は、表示部１２と、表示に関する制御を行なう表示制御部１０３と、メモリ１０５と、操作部１０９と、通信部１１１と、これらの各部を制御するＣＰＵ１０１と、共有表示領域記憶部１０５ａを備えている。表示部１２には、共有表示領域記憶部１０５ａに記憶されている共有表示情報データのうちの少なくとも一部領域の情報データが表示可能である。共有表示情報データのうちのいずれの領域を表示部１２に表示するかに関しては、操作部１０９におけるユーザ操作により、共有表示情報データに基づく大きな表示領域のうちから選択して一部領域を表示させることができる。各々の機器の金属接点の接触位置の情報により、互いの機器の物理的位置を認識することができる。【選択図】図２
2007225803.tif 000002
【特許請求の範囲】
【請求項１】
表示部と、該表示部おける表示に関する制御を行なう表示制御部と、メモリと、他の機器との間で通信可能な通信部と、これらの各部を制御する制御部と、を有する機器であって、
他の機器と共有可能な大きな表示領域にわたる表示情報データを含む共有表示情報データを、前記通信部を介して共有可能としたことを特徴とする機器。
【請求項２】
前記表示情報データの少なくとも一部を記憶する共有表示領域記憶部を備えていることを特徴とする請求項１に記載の機器。
【請求項３】
前記表示制御部は、
前記共有表示領域記憶部に記憶されている前記表示情報データのうちから選択された少なくとも一部領域の情報データを前記表示部に表示させる制御を行なうことを特徴とする請求項１に記載の機器。
【請求項４】
前記一部領域は、操作部からのユーザ操作により、前記共有表示情報データに基づく大きな表示領域のうちから選択されることを特徴とする請求項３に記載の機器。
【請求項５】
選択された前記一部領域の表示位置に関する情報を記憶する選択領域情報記憶部を有することを特徴とする請求項３又は４に記載の機器。
【請求項６】
前記制御部は、前記選択領域情報記憶部における記憶を、前記通信部を介して随時更新することを特徴とする請求項５に記載の機器。
【請求項７】
前記通信部により他の機器と通信を行なうことにより、他の機器において選択された領域に関する情報を取得することを特徴とする請求項１から６までのいずれか１項に記載の機器。
【請求項８】
互いの機器の位置関係を検出する位置検出部を備えたことを特徴とする請求項１から７までのいずれか１項に記載の機器。
【請求項９】
前記位置検出部は、機器の周辺部に複数の金属接点を備え、各々の機器の金属接点の接触位置の情報により、互いの機器の物理的位置を認識するものであることを特徴とする請求項８に記載の機器。
【請求項１０】
前記位置検出部は、機器の周辺部に設けられたセンサから得られる位置情報により、互いの機器の物理的位置を認識するものであることを特徴とする請求項８に記載の機器。
【請求項１１】
前記位置検出部による機器の位置の変化を検出し、前記表示部における互いの機器の表示の位置関係が同じになるように少なくとも一方の機器の表示が変更されることを特徴とする請求項８から１０までのいずれか１項に記載の機器。
【請求項１２】
互いの物理的位置を認識した複数の機器において、ネットワークを介して複数の機器が通信を行いながら位置を検出することを特徴とする請求項８に記載の機器。
【請求項１３】
それぞれの機器は、他の機器が前記表示部に表示している表示情報データにおける領域に関するイベント情報を取得して、それに応じた表示に関する動作を行なう制御を行なうことを特徴とする請求項８に記載の機器。
【発明の詳細な説明】
【技術分野】
【０００１】
本発明は表示共有機能を有する機器に関し、特に複数の表示装置を利用する表示技術に関する。
【背景技術】
【０００２】
従来から、様々な表示技術が提案されている。例えば、単一の機器において、１つの表示装置では表示しきれない範囲を表示するために、複数の表示装置を組み合わせることで、広い範囲を表示する機能を有する機器が存在している。一例として、下記特許文献１などがあげられる。
【０００３】
【特許文献１】特開平１−２９３３８７「マルチデイスプレイ装置」
【発明の開示】
【発明が解決しようとする課題】
【０００４】
複数の表示装置を利用し、表示したい内容の複数の範囲を表示する機器は存在する。しかしながら、これらは、あくまで１つの機器が表示する内容を複数の表示装置で表示しているにすぎない。また、個々の表示装置の表示範囲も、１つの機器によって決定される範囲を各々表示しているにすぎない。
【０００５】
本発明は、複数の独立した表示装置を有する機器において、連続する論理的な表示領域を共有する技術を提供することを目的とする。
【課題を解決するための手段】
【０００６】
本発明においては複数の独立した表示装置を有する機器において、連続する論理的な表示領域を共有し、単なる広範囲を表示する以上の機能を有する機器を提供する。
【０００７】
本発明においては、表示範囲が連続した論理的な表示領域を共有する、表示装置を有する複数の独立した機器を提供する。
【０００８】
例えば、表示装置で表示可能な表示範囲が論理的に連続した表示領域において、１つの表示領域を共有し、任意の表示範囲を表示する機能を有する。また、前記表示装置を有する複数の独立した機器の物理的な位置関係に対応する、前記表示領域内の位置関係を持つ表示範囲を表示する機能を有する。前記表示装置を有する複数の独立した機器の物理的な位置の変化に対応し、前記表示領域内の位置関係を持つ表示範囲を変化させる機能を有する。前記表示装置を有する複数の独立した機器において、表示装置に表示される内容に対する操作を行った場合に、前記表示領域を共有する他の独立した機器が表示している範囲に影響を及ぼす機能を有する。前記表示装置を有する複数の独立した機器において、表示装置に表示されている内容に対応する情報を機器内に保持し、表示領域に表示された内容を操作することにより、複数の機器の間で、情報を操作する機能を有する。
【０００９】
すなわち、本発明の一観点によれば、表示部と、該表示部おける表示に関する制御を行なう表示制御部と、メモリと、他の機器との間で通信可能な通信部と、これらの各部を制御する制御部と、を有する機器であって、他の機器と共有可能な大きな表示領域にわたる表示情報データを含む共有表示情報データを、前記通信部を介して共有可能としたことを特徴とする機器が提供される。他の機器との間で大きな表示領域を共有するため、そのうちの少なくとも一部を任意に表示させることができる。共有可能とは、常時共有している場合の他に、必要に応じて共有したり、必要な一部を共有したりする場合を含む。
【００１０】
前記表示情報データの少なくとも一部を記憶する共有表示領域記憶部を備えていることが好ましい。また、前記表示制御部は、前記共有表示領域記憶部に記憶されている前記表示情報データのうちから選択された少なくとも一部領域の情報データを前記表示部に表示させる制御を行なうことが好ましい。前記一部領域は、操作部からのユーザ操作により、前記共有表示情報データに基づく大きな表示領域のうちから選択することができる。選択された前記一部領域の表示位置に関する情報を記憶する選択領域情報記憶部を有することが好ましい。前記制御部は、前記選択領域情報記憶部における記憶を前記通信部を介して随時更新することが好ましい。表示位置に関する情報を機器が記憶し、この表示位置に関する情報に関しても前記通信部を介して互いに取得可能とすることで、他の機器の表示領域を知ることができ、取得した情報に基づいて、他の機器の表示位置との関連付けにより自機器の表示領域を決めることもできる。すなわち、共有表示情報データの範囲内において他の機器の表示部において表示されている領域における内容の情報と位置情報とを共有することができる。
【００１１】
互いの機器の位置関係を検出する位置検出部を備えることが好ましい。前記位置検出部は、機器の周辺部に複数の金属接点を備え、各々の機器の金属接点の接触位置の情報により、互いの機器の物理的位置を認識するものとすることができる。また、前記位置検出部は、機器の周辺部に設けられたセンサから得られる位置情報により、互いの機器の物理的位置を認識するものでも良い。
【００１２】
互いの物理的位置を認識した複数の機器において、ネットワークを介して複数の機器が通信を行いながら位置を検出することが好ましい。それぞれの機器は、他の機器が前記表示部に表示している表示情報データにおける領域に関するイベント情報を取得して、それに応じた表示に関する動作を制御することができる。
【発明の効果】
【００１３】
表示装置を有する独立した機器において、１つの連続する論理的な表示領域を共有することで、複数の機器を集めることにより、１つの機器では表示できない、広い範囲を表示することが可能になる。
【００１４】
表示装置を有する独立した機器において、一方の機器における操作が、共有されている１つの連続する論理的な表示領域内の操作であり、かつ操作の範囲が他の機器の表示範囲内であれば、他の機器の表示内容に対し、表示内容を指し示す、表示内容を変更する、表示内容を移動する等の操作を行うことが可能になる。
【００１５】
前記の他の機器の表示内容に対し、表示内容を指し示す、表示内容を変更する、表示内容を移動する等の操作において、表示内容に対応した情報への操作を可能とし、情報の交換、情報の転送、情報の削除等の、複数の機器の間での直感的な情報の操作を可能とする。
【発明を実施するための最良の形態】
【００１６】
以下に、本発明の実施の形態による表示技術について図面を参照しながら説明を行なう。図１は、本発明の第１の実施の形態による表示装置を備えた機器の一構成例を示す図である。図１において、符号１１は表示装置を有する機器であり、表示を行う表示装置１２が設けられている様子が示されている。限定されるものではないが、例えば、携帯電話機、ＰＤＡ、ミュージックプレイヤーなどが含まれる。
【００１７】
図２は、本実施の形態による表示装置を備えた機器の一構成例を示す機能ブロック図である。簡単のため、複数の機器が同様の構成を有する例にして説明を行なう。図２に示すように、本実施の形態による表示装置を備えた機器１１は、表示部１２と、表示部１２における表示に関する制御を行なう表示制御部１０３と、メモリ１０５と、操作部１０９と、通信部１１１と、これらの各部を制御するＣＰＵ１０１と、を有している。さらに、本実施の形態よる機器においては、共有表示領域記憶部１０５ａを備えている。
【００１８】
共有表示領域記憶部１０５ａは、他の機器と共有できる大きな表示領域の共有表示情報データを記憶する。表示部１２には、共有表示領域記憶部１０５ａに記憶されている共有表示情報データのうちの少なくとも一部領域の情報データが表示可能である。共有表示情報データのうちのいずれの領域を表示部１２に表示するかに関しては、例えば、操作部１０９におけるユーザ操作により、共有表示情報データに基づく大きな表示領域のうちから選択して一部領域を表示させることができる。選択された一部領域の位置に関する情報もメモリ１０５内の選択領域情報記憶部１０５ｂに随時更新されながら記憶される。
【００１９】
通信部１１１は、他の機器と通信を行なうことで、他の機器において選択された領域に関する情報を取得することができる。これにより、共有表示情報データの範囲内において他の機器の表示部において表示されている領域における情報を共有することができる。
【００２０】
位置検出部１０７は、互いの機器の位置関係を検出する。図１０（Ａ）、（Ｂ）は、複数（２台）の図１に示す機器２０１、２０２が、金属接点を利用して共有する表示領域の中のそれぞれの表示範囲を、それぞれの表示機器に表示させている様子を示す図である。機器同士を隣接させ金属接点を接触させることにより、金属接点を介して通信を行うとともに、上記複数の金属接点のうちの、接触している金属接点の位置の情報に基づいて、互いの機器の物理的位置を認識することができる。例えば、図１０に示すように、それぞれの機器２０１、２０２は、その周辺部に複数の金属接点２０５ａ〜２０５ｆまで、２０６ａ〜２０６ｆまでを備え、各々の機器の金属接点の接触位置の情報により、互いの機器の物理的位置を認識することができる。図１０（Ａ）では、金属接点２０５ｅと２０６ｅ、金属接点２０５ｆと２０６ｆとが、それぞれ接触した状態となっており、機器２０１、２０２は、これらの金属接点２０５ｅと２０６ｅ、金属接点２０５ｆと２０６ｆとにより、お互いの位置情報と表示情報とを交換することができる。この場合には、両方の機器２０１、２０２が表裏及び回転位置が同じであるという位置情報を交換することができる。この場合には、それぞれの表示部２０３、２０４のそれぞれに表示される内容は、表裏及び回転に関して同じように表示されている。
【００２１】
一方、図１０（Ｂ）に示すように、機器２０２を左周りに９０度回転させると、機器２０１、２０２は、これらの金属接点２０５ｅと２０６ｅ、金属接点２０６ｃと２０６ｄとにより、お互いの位置情報と表示情報とを交換することができるようになる。この場合には、図１０（Ｂ）に示すように、お互いの位置関係が左周りに９０度回転したことを知ることができるため、機器２０２の表示部２０４においては、図１０（Ａ）の表示と同様の表示を行なうように、表示制御が行なわれる。
【００２２】
このようにして、互いの物理的位置を認識した複数の機器において、複数の金属接点を接触させ電気信号等を用いて互いに通信を行うことにより互いの位置情報および表示情報を交換することができる。これらの位置情報と表示情報とにより、表示の共有を実現することができる。
【００２３】
位置検出部１０７の図１０以外の他の例としては、機器の周辺部に複数の、赤外線センサ、超音波センサ、静電センサあるいは磁気センサ等の、例えば非接触の近接センサである。各々の機器に設けられる近接センサから得られる位置情報により、互いの機器の物理的位置を認識することができる。
【００２４】
このように、互いの物理的位置を認識した複数の機器において、無線通信あるいは赤外線通信等の通信部１１１を利用し、複数の機器が直接に通信を行い、表示の共有を実現することができる。あるいは、互いの物理的位置を認識した複数の機器において、図示しない公共通信網を介して複数の機器が通信を行い、表示の共有を実現することも可能である。
【００２５】
次に、本発明の第２の実施の形態による表示技術について図面を参照しながら説明を行なう。図３は、本実施の形態による表示技術の他の例を示す図である。図３においては、機器１１と機器２２との共有表示領域情報は、メモリではなく外部のサーバ１１５に記憶されている点で図２の構成とは異なる。各機器１１、２２とサーバ１１５との間は、通信部１１１と、インターネットを介した通信により行なうことができる。
【００２６】
本実施の形態による表示装置を備えた機器では、大きな表示情報データを共有するとともに、この共有したデータの一部を機器毎に選択して分配することで、分配したデータ文の表示を行なう。さらに、それぞれの機器は、他の機器が表示部に表示している表示情報データにおける領域に関する情報を互いに知り合うことができるため、他の機器の表示に関する何らかのイベント、例えば領域の移動などを自機器が知り、それに応じた表示に関する動作を行なうようにすることも可能である。
【００２７】
以下に、上記構成に基づく種々の機能について例示的に説明を行なう。図４においては、１つの連続する論理的な表示領域２１（図４（ａ））と、図１にも示した機器１１に設けられた表示装置１２が表示する範囲２２（図４（ａ）、（ｂ））が表示されている。このように、機器１１の表示装置１２には、１つの連続する論理的な表示領域２１のうちの一部領域のみが表示されている。
【００２８】
図５（ａ）〜図５（ｃ）においては、図４（ａ）にも示した１つの連続する論理的な表示領域２１（図５（ａ））に対して、機器３１と機器３２とに各々設けられた表示装置３３と表示装置３４とが、それぞれ第１の範囲３５、第２の範囲３６を表示している様子を示している。このように１つの連続する論理的な表示領域を複数の機器で共有する機能を有する。
【００２９】
図６（ａ）から図６（ｃ）までにおいては、１つの連続する論理的な表示領域２１に対して、機器４１、機器４２に各々設けられた第１の表示装置４３、第２の表示装置４４が表示する第１の表示範囲４５、第２の表示範囲４６の位置関係が示されている。第１の表示装置４３が表示している矩形の範囲４７ａ-４７ｂ-４７ｃ-４７ｄ（符号は矩形の頂点を示す）は、表示領域２１中の表示範囲４５の４９ａ-４９ｂ-４９ｃ-４９ｄに対応する領域である。表示装置４４が表示している矩形の範囲４８ａ-４８ｂ-４８ｃ-４８ｄは、表示領域２１中の表示範囲４６の４１０ａ-４１０ｂ-４１０ｃ-４１０ｄに対応する領域である。この際、表示領域２１中の第１の表示範囲４５、第２の表示範囲４６における頂点４９ａ、４９ｂ、４９ｃ、４９ｄおよび頂点４１０ａ、４１０ｂ、４１０ｃ、４１０ｄの位置関係は、表示装置４５、表示装置４６が表示している物理的な位置４７ａ、４７ｂ、４７ｃ、４７ｄおよび４８ａ、４８ｂ、４８ｃ、４８ｄ対応する。
【００３０】
図７（ａ）から図７（ｃ）では、１つの連続する論理的な表示領域２１に対して、機器５１、５２ａに各々設けられた表示装置５３、表示装置５４ａが表示する範囲５５、５６ａの位置関係を示している。機器５２ａおよび表示装置５４ａの位置が、矢印５７に示すように符号５２ｂおよび符号５４ｂの位置に移動すると、それに伴い、表示範囲は符号５６ａから符号５６ｂへと矢印５８に示すように移動する。位置が移動した表示装置５４ｂには、表示範囲５６ｂが表示される。
【００３１】
図８（ａ）、図８（ｂ）では、１つの連続する論理的な表示領域２１に対して、機器６１、６２に各々設けられた表示装置６３、表示装置６４が表示する第１の範囲６５、第２の範囲６６において、表示装置６３に表示する機器６１で操作可能な図形（ここでは白抜きの矢印）６７ａが、表示範囲６５の中の図形６９ａに対応し、図形６７ａを矢印６８のように移動させると、それに伴い図形６９ａは矢印６１０のように移動する。矢印６１０によって示される移動により、移動した図形６９ｂ（白抜きの矢印）が表示範囲６６に表示されるようになるのに伴い、表示範囲６６を表示している表示装置６４において図形６７ｂが表示される。このように、２つの機器の表示装置において、１つの表示領域２１内における処理が引き継がれるように表示可能である。
【００３２】
図９（ａ）、図９（ｂ）では、１つの連続する論理的な表示領域２１に対して、機器７１、機器７２に各々設けられた表示装置７３、表示装置７４が表示する第１の範囲７５、第２の範囲７６において、表示装置７３に表示する機器７１で操作可能であり機器７１が保持する情報７１１に対応付けられた図形７７ａが、表示範囲７５の中の図形７９ａに対応し、図形７７ａが矢印７８のように移動すると、それに伴い、図形７９ａは矢印７１０のように移動する様子が示されている。矢印７１０に示す移動により、移動された図形７９ｂが表示範囲７６に表れるのに伴い、表示範囲７６を表示している表示装置７４に図形７７ｂが表れる。図形７７ｂが表示装置７４に表れるに伴い、図形７７ａに対応付けられた機器７１の情報７１１が、機器７２が保持する情報７１２として移動あるいは複写などの操作を行なうことができる。
【００３３】
本実施の形態による表示共有装置によれば、表示装置を有する独立した機器において、１つの連続する論理的な表示領域を共有することで、複数の機器を集めることにより、１つの機器では表示できない、広い範囲を表示することが可能になる。
【００３４】
また、表示装置を有する独立した機器において、一方の機器における操作が、共有されている１つの連続する論理的な表示領域内の操作であり、かつ操作の範囲が他の機器の表示範囲内であれば、他の機器の表示内容に対し、表示内容を指し示す、表示内容を変更する、表示内容を移動する等の操作を行うことが可能になる。
【００３５】
さらに、他の機器の表示内容に対し、表示内容を指し示す、表示内容を変更する、表示内容を移動する等の操作において、表示内容に対応した情報への操作を可能とし、情報の交換、情報の転送、情報の削除等の、複数の機器の間での直感的な情報の操作を可能とする。
【産業上の利用可能性】
【００３６】
本発明は表示装置を備えた機器に利用可能である。
【図面の簡単な説明】
【００３７】
【図１】本発明の一実施の形態による表示装置を備えた機器の一構成例を示す図である。
【図２】本発明の一実施の形態による表示装置を備えた機器の一構成例を示す機能ブロック図である。
【図３】他の例を示す図であり、機器の共有表示領域情報は、メモリではなく外部のサーバに記憶されている点で図２の構成とは異なる。
【図４】図１の機器が表示範囲を表示装置に表示する様子を示す図である。
【図５】複数の図１の機器が、共有する表示領域の中のそれぞれの表示範囲を、それぞれの表示機器に表示する様子を示す図である。
【図６】複数の図１の機器の、物理的な位置関係に対応した位置関係を持つ、共有する表示領域の中におけるそれぞれの表示範囲を、それぞれの表示範囲に表示する様子を示す図である。
【図７】複数の図１の機器が、共有する表示領域の中のそれぞれの表示範囲を、それぞれの表示機器に表示し、機器の移動に対応し表示範囲が移動する様子を示す図である。
【図８】複数の図１の機器が、共有する表示領域の中のそれぞれの表示範囲を、それぞれの表示機器に表示し、一方の機器の操作により他方の機器の表示に、操作に対応した変化が表れる様子を示す図である。
【図９】複数の図１の機器が、共有する表示領域の中のそれぞれの表示範囲を、それぞれの表示機器に表示し、一方の機器の操作により他方の機器の表示に、操作に対応した変化が表れるのに伴い、情報の操作が行われる様子を示す図である。
【図１０】図１０（Ａ）、（Ｂ）は、複数（２台）の図１の機器が、金属接点を利用し共有する表示領域中のそれぞれの表示範囲を、それぞれの表示機器に表示させる様子を示す図である。
【符号の説明】
【００３８】
１１…機器、１２…表示部、１０５ａ…共有表示領域記憶部、１０５ｂ…選択領域情報記憶部
【図１】
2007225803.tif 000003
【図２】
2007225803.tif 000004
【図３】
2007225803.tif 000005
【図４】
2007225803.tif 000006
【図５】
2007225803.tif 000007
【図６】
2007225803.tif 000008
【図７】
2007225803.tif 000009
【図８】
2007225803.tif 000010
【図９】
2007225803.tif 000011
【図１０】
2007225803.tif 000012